(57)【要約】【課題】  容易に且つ確実に魚を掴むことができ、しかも針がからみ込むことが全くなく、またヌメリや血等が手に付着したり、魚の鰭や鱗などで手に傷を負うといったことを確実に防止し、洗浄も容易で、軽くてコンパクトな、使い勝手のよい魚掴み具の提供を課題とする。【解決手段】  魚掴み具は、縦横のサイズが１０数ｃｍ〜２０数ｃｍ程度とし、容易に湾曲し且つ脱力すれば元の状態に復帰する弾力性のある軟質のシート体１０からなり、該シート体１０の少なくとも一方の表面に多数の小突起１１を分散配置して形成してある。【選択図】        図１
0003101654.tif 000002
【実用新案登録請求の範囲】
【請求項１】
縦横のサイズが１０数ｃｍ〜２０数ｃｍ程度とし、容易に湾曲し且つ脱力すれば元の状態に復帰する弾力性のある軟質のシート体からなり、該シート体の少なくとも一方の表面に多数の小突起を分散配置して形成してあることを特徴とする魚掴み具。
【請求項２】
シート体全体が透明若しくは半透明であることを特徴とする請求項１に記載の魚掴み具。
【請求項３】
シート体の少なくとも一部が蛍光若しくは燐光を発するようになされていることを特徴とする請求項１又は２に記載の魚掴み具。
【請求項４】
シート体の端辺の近くに吊り下げ用の穴が形成されていることを特徴とする請求項１〜３の何れかに記載の魚掴み具。
【請求項５】
小突起を形成している面の端辺には液等が端辺を越えてくるのを阻む返し部を形成してあることを特徴とする請求項１〜４の何れかに記載の魚掴み具。
【請求項６】
小突起の代わりに突条が多数配列して形成してあることを特徴とする請求項１〜５の何れかに記載の魚掴み具。
【考案の詳細な説明】
【技術分野】
【０００１】
本考案は魚掴み具に関し、より詳しくは、釣った魚等を手で直接掴むことなく、手との間にこの魚掴み具を介して、手を汚すことなく容易に、確実に魚を掴むことができる魚掴み具に関する。
【背景技術】
【０００２】
海、池、川、その他の場所において、釣った魚を扱う場合、例えば釣った魚から針を外す場合には、魚を動かないように掴んだ状態で針を外す必要がある。
魚を直接手で掴むと手に傷を負う場合が有り、また魚のヌメリ等が手に付いたり或いは魚が手から滑り落ちたりして十分に掴むことができない場合が多い。
このため、従来は釣り人等がタオル、手拭い等の布を用意して、魚が釣れた場合にはその布を用いて魚を掴み、針を外したりするのが一般的であった。
【考案の開示】
【考案が解決しようとする課題】
【０００３】
ところが上記タオル等の布を用いる場合は、針が布に引っ掛って、なかなか外れなくなってしまうという問題がある。また布の場合は、一旦付着した魚のヌメリや血等が洗っても取れ難いという問題がある。勿論、タオル等の布を身にぶら下げる等して魚釣りを行うのは、見た目にもあまりカッコのよいものではない。
【０００４】
そこで本考案は上記従来の問題を解消し、容易に且つ確実に魚を掴むことができ、しかも針がからみ込むことが全くなく、またヌメリや血等が手に付着したり、魚の鰭や鱗などで手に傷を負うといったことを確実に防止し、洗浄も容易で、軽くてコンパクトな、使い勝手のよい魚掴み具の提供を課題とする。
【課題を解決するための手段】
【０００５】
上記課題を達成するため、本考案の魚掴み具は、縦横のサイズが１０数ｃｍ〜２０数ｃｍ程度とし、容易に湾曲し且つ脱力すれば元の状態に復帰する弾力性のある軟質のシート体からなり、該シート体の少なくとも一方の表面に多数の小突起を分散配置して形成してあることを第１の特徴としている。
また本考案の魚掴み具は、上記第１の特徴に加えて、シート体全体が透明若しくは半透明であることを第２の特徴としている。
また本考案の魚掴み具は、上記第１又は第２の特徴に加えて、シート体の少なくとも一部が蛍光若しくは燐光を発するようになされていることを第３の特徴としている。
また本考案の魚掴み具は、上記第１〜３の何れかの特徴に加えて、シート体の端辺の近くに吊り下げ用の穴が形成されていることを第４の特徴としている。
また本考案の魚掴み具は、上記第１〜４の何れかの特徴に加えて、小突起を形成している面の端辺には液等が端辺を越えてくるのを阻む返し部を形成してあることを第５の特徴としている。
また本考案の魚掴み具は、上記第１〜５の何れかの特徴に加えて、小突起の代わりに突条が多数配列して形成してあることを第６の特徴としている。
【考案の効果】
【０００６】
請求項１に記載の魚掴み具によれば、シート体の裏面（小突起を分散配置して形成していない側の面）を手で持って適当な湾曲状態に保持し、この状態でシート体を釣り上げた魚にその腹側或いは背側からあてがって掴む。シート体は魚に沿って湾曲し、当接する。そしてシート体表面の多数の突起の先端が魚の表面に押し当り、少し押し入るような状態で魚を確実に把持する。
シート体は縦横のサイズが１０数ｃｍ〜２０ｃｍ程度としているので、釣り人がシート体を手の平に載せたような状態から、片手で容易にシート体を湾曲させて掴む動作を行うことができる。
またシート体は容易に湾曲し、且つ脱力すれば元の状態に復帰する弾力性のある軟質のシート体であるので、掴む動作の際、手の平に沿って柔軟に湾曲し、且つ魚を掴んだ際にも魚の表面に沿って柔軟に当接して、より多くの突起による魚の固定作用を確保することができる。また魚を掴んだ状態から脱力することで、シート体が湾曲状態から元の状態へと弾性復帰しようと拡がり、魚を容易に解き外すことができ、容器等にワンタッチで入れることができる。
またシート体の表面に多数の小突起を分散配置して形成してあるので、魚を掴んだ際に前記小突起の複数個が魚の表面に強く当接ないし押し入り、魚を確実に保持することができる。突起は小突起であり且つ硬質の材料で形成されていないので、魚が傷付くこともない。
勿論、タオル等の布の場合と異なり、針がからみ込むこともない。また魚と手とがシート体の介在により確実に隔離されるので、魚のヌメリや血等が手に付着したり魚の鰭や鱗などで手に傷を負ったりするのを確実に防止することができる。またシート体の洗浄は容易に行うことができる。また全体として軽くてコンパクトな、使い勝手のよい魚掴み具となる。
【０００７】
請求項２に記載の魚掴み具によれば、請求項１に記載の構成による効果に加えて、シート体全体が透明若しくは半透明であることにより、魚を掴んだ状態でシート体内側の魚の状態を容易に知ることができる。またそれによって魚を掴む力を容易に調整することができる。
【０００８】
請求項３に記載の魚掴み具によれば、請求項１又は２に記載の構成による上記効果に加えて、シート体の少なくとも一部が蛍光若しくは燐光を発するようになされていることにより、夜等の暗闇にいても容易にその所在を知ることができ、素早く対処することができる。
【０００９】
請求項４に記載の魚掴み具によれば、請求項１〜３の何れかに記載の構成による上記効果に加えて、シート体の端辺近くに吊り下げ用の穴が形成されていることにより、該穴に紐やその他の連結手段を取り付けて、シート体を釣り人自身の腰のあたりに吊り下げ或いは魚を入れるボックスの一部に取り付けることにより、必要時に探すことなく素早く使用に供することが可能となる。
【００１０】
請求項５に記載の魚掴み具によれば、請求項１〜４の何れかに記載の構成による上記効果に加えて、小突起を形成している面の端辺には液等が端辺を越えてくるのを阻む返し部を形成してあることにより、シート体を介して魚を掴んだ際に、魚からのヌメリや海水等の液、或いは鱗等がシート体の端辺を越えて手に付着してくるのを容易に阻止することができる。
【００１１】
請求項６に記載の魚掴み具によれば、請求項１〜５の何れかに記載の構成による上記効果に加えて、小突起の代わりに突条が多数配列してあることで、多数の小突起が分散配置されたのと、ある程度、同様な作用効果を奏することができる。
【考案を実施するための最良の形態】
【００１２】
以下の図面を参照しながら、本考案の実施形態を更に詳細に説明する。
図１は本考案の実施形態に係る魚掴み具のシート体を示し、（Ａ）は平面図、（Ｂ）はＸ−Ｘ断面図である。図２はシート体の拡大断面図、図３は魚掴み具で魚を掴んでいる状態を示す斜視図である。
【００１３】
図１、図２を参照して、シート体１０の一方の表面（表表面）に多数の小突起１１が分散配置して形成されている。
【００１４】
前記シート体１０は、縦方向と横方向の長さを異ならせた長方形状として、そのサイズを、例えば１８ｃｍ×１５ｃｍとする等、それぞれ１０数ｃｍ〜２０ｃｍ程度の寸法とすることができる。この程度の寸法とすることで、手の平に載せることができ、且つシート体１０を載せた手で、そのままシート体１０を片手で操作して湾曲させたりとすることができる。
前記シート体１０の縦寸法と横寸法とを適当に異ならしめることで、大きな魚にも小さな魚にもうまく対応させることができる。
勿論、シート体１０は必ずしも図に示すような長方形状である必要はない。矩形であってもよいし、また楕円のような形であっても可能である。
前記シート体の厚みは、例えば最薄部を２ｍｍ、最厚部（小突起１１を含む）を５ｍｍ程度とする。が。手の平で持った場合に適当なボリュームと重さを感じる程度の厚みとすることができる。勿論、この最薄部の厚みは、シート体１０が簡単には破れたり、魚の鰭等が突き抜けたりしない適当な１〜３ｍｍ程度の厚みとすることができる。
【００１５】
前記シート体１０は、例えばビニール製とし、これによってシート体全体が容易に湾曲し、且つ脱力すれば自らもとの状態に復帰するような弾力性のある軟質のシート体とする。シート体１０の材料としては、前記ビニール製の他、弾性があって容易に湾曲し、また容易に自動復帰することができる軟質の樹脂を用いることができる。湾曲性の程度や復元力の程度は、シート体１０の厚みを調節することで適切な程度にすることができる。
【００１６】
前記小突起１１は、シート体１０の表表面の全面に、一様に、縦横に一定間隔で整列して配置している。勿論、小突起１１は全面に、一様に整列配置しなければならないことはない。
前記小突起１１は先端にいくにしたがって尖るように形成して、該小突起１１が魚の表面に強く当接ないし押し入り、魚を確実に保持することができるようにしている。勿論、小突起とすることで、また突起の先端の尖り具合を調整することで、表面組織を突き破って魚を傷付ける程の突起状態とはしないようにしている。
前記小突起の基部の径は、例えば直径が２〜５ｍｍ程度とし、高さを１〜３ｍｍ程度とすることができる。
【００１７】
前記小突起１１は必ずしも先端にいくにしたがって尖ってなくともよく、疣状の突起でも可能である。
更に前記小突起１１の代わりに、突条を一方向に多数列で配列して形成しても、それなりの効果を発揮する。
【００１８】
前記シート体１０は透明或いは半透明状態のものを用いるのがよい。透明或いは半透明とすることで、魚を掴んだ際に中の魚を透視することができ、掴み具合を知ることができ、それによって魚を掴む力を容易に調整することができる。
【００１９】
前記シート体１０は、その全体若しくは一部が蛍光若しくは燐光を発するようにしてもよい。このようにすることで、夜釣りなどにおいても、シート体１０の所在を容易に知ることができ、便利である。
【００２０】
また前記シート体１０の端辺１０ａの近くに、シート体１０を吊り下げるための吊り下げ穴１２を形成している。この吊り下げ穴１２を利用して、紐等の連結手段を取り付けて、シート体１０を釣り人自身の腰のあたりに吊り下げ或いは魚を入れるボックスの一部に取り付けることにより、必要時に探すことなく、素早く使用に供することが可能となる。
【００２１】
また前記シート体１０の前記小突起１１を形成している面の各端辺１０ａに、返し部１３を形成することができる。この返し部１３を設けることで、シート体１０を介して魚を掴んだ際に、魚からのヌメリや海水等の液、或いは鱗等がシート体１０の端辺１０ａを越えて手に付着してくるのを容易に阻止することができる。
【００２２】
本考案の魚掴み具の使い方を説明する。
図３を参照して、今、魚が吊り上げられると、釣り人は竿を持っていない方の手で、シート体１０をその裏側から適当に湾曲させて掴み、その状態で針等にぶらさがっている魚に側方からあてがい、力を加えて掴む。シート体１０は魚の表面に沿って柔軟に当接して、且つ小突起１１が魚に当接し、強力に魚の固定作用を行う。また魚を容器等に解き外す場合は、魚を掴んだ状態から脱力することで、シート体１０が湾曲状態から元の状態へと弾性復帰する結果、ワンタッチで容器内に入れることができる。
【図面の簡単な説明】
【００２３】
【図１】本考案の実施形態に係る魚掴み具のシート体を示し、（Ａ）は平面図、（Ｂ）はＸ−Ｘ断面図である。
【図２】シート体の拡大断面図である。
【図３】魚掴み具で魚を掴んでいる状態を示す斜視図である。
【符号の説明】
【００２４】
１０    シート体
１０ａ  端辺
１１    小突起
１２    吊り下げ穴
１３    返し部
【図１】
0003101654.tif 000003
【図２】
0003101654.tif 000004
【図３】
0003101654.tif 000005